(57)【特許請求の範囲】
【請求項１】
窓部を備え、外側表面にコーティング層を有する第１シートと、該窓部を設けた第１シートの裏面に配置した光沢のあるスレッドと、該スレッドの裏面に配置され、外側表面にコーティング層を有する第２シートとから成り、該第２シートは透明フィルムの外側表面に窓部を設けた紙を接着剤により接着した複合シートであり、該第１シートと該スレッドと該第２シートとは接着剤により貼り合せられ、該スレッドは該第１シートの窓部に露出し、また、該スレッドは第２シートの窓部に該透明フィルムを通して視認可能に配置した偽造防止用紙。
【請求項２】
第１シートが透かし入り紙である請求項１記載の偽造防止用紙。
【請求項３】
第２シートが透かし入り紙である請求項１記載の偽造防止用紙。
【発明の詳細な説明】
【０００１】
【発明の属する技術の分野】
本発明は、有価証券等の偽造防止用紙に係るものであり、詳しくは、スレッドが間欠的に紙の窓部から表面側に露出した、スレッド露出窓付きの偽造防止用紙及びその製造方法に関する。
【０００２】
【従来の技術】
近年のカラー複写機の精度向上に伴い、当該複写機を使用して有価証券等を偽造することが社会問題となっている。従来、これを防止する手段の一つとして、特開平８−３１１８００号は、スレッドを使用した偽造防止用紙を開示している。
【０００３】
この偽造防止用紙は、２層以上の紙層で構成され、最外部に位置する紙層が窓部を有し、最外部に位置する紙層とその下に位置する紙層の間に虹彩色光沢を有するスレッドが挿入されており、スレッドが窓部に露出しているという構造を有する。
【０００４】
その製造方法は以下のようなものである。最初にスレッドを製造する。このスレッドは、例えば、合成樹脂フィルムに真珠顔料等の着色液を塗工することによりホログラム層を得、さらにそのホログラム層の上にバインダーを塗工し、その後スリッター等を使用して帯状に形成する。その外観はホログラムであり虹彩色の光沢を有する。尚、このバインダーは、紙層との密着のために必要である。
【０００５】
次に、２槽構造の円網抄紙機の１槽目では円網シリンダーの上網に用紙の窓部に相当する部分の網目を塞ぐ細工をする。この細工は、上網に樹脂を部分的に塗工したり、所定の形状の樹脂板を貼合したり、金属板を貼合する等で行なう。２槽目では何等の細工を施さない円網シリンダー上網を使用する。
【０００６】
１槽目で形成した紙層（湿紙）を毛布に転写し、これに２槽目で形成した紙層を重ね抄き合わせる。このとき１槽目で形成した紙層と２槽目で形成した紙層の間であって、窓部に位置するように、スレッドを繰り出して挿入する。
【０００７】
このようにして形成した紙匹を、シリンダードライヤーやヤンキードライヤー等の抄紙機の乾燥ゾーンにおいて熱を加え乾燥する。乾燥初期には紙匹には多量の水分が含まれているので、スレッドの塗工層に塗工した熱水可溶性のバインダーが膨潤し、その極一部が溶解し、紙層と強固に密着する。ついで用紙に表面平滑性を付与するために、マシンカレンダー処理やスーパーカレンダー処理を適宜行い完成する。
【０００８】
上記の偽造防止用紙は、カラー複写機により複写すると、その複写物にはスレッドの虹彩色の光沢が全く異なる色として複写されるため偽造を防止することができるのである。
【０００９】
【発明が解決しようとする課題】
ところが、上記の偽造防止用紙は、円網とコーチロール部のニップにおいて湿紙の状態の紙層の間にスレッドを挿入する一体製造法を前提とするため、当該偽造防止用紙の窓部側表面に様々な機能を有するコーティング層を設けることができないという問題点があった。
【００１０】
例えば、印刷適性やプリンタ適性を向上するための表面サイズ剤のコーティング層や、自動改札用切符等に用いられる磁性材料の磁性層等を、当該偽造防止用紙の窓側表面に設けようとすると、窓部に露出するスレッドに外添サイズ剤や磁性材料が付着してしまい、スレッドの光沢が損なわれてしまう。従って、上記の偽造防止の効果を得られないのである。
【００１１】
本発明は、上記のように、窓部にスレッドを有する偽造防止用紙であって、当該用紙に偽造防止機能以外の印刷適性を始めとする様々な機能を実現することができる偽造防止用紙を提供することを目的とする。
【００１２】
【課題を解決するための手段】
本発明は、完成した紙や合成樹脂フィルム等から成る第１シート及び第２シートを用い、この第１シートはその表面に予め必要なコーティング層を設けたものであり、この第１シート及び第２シートの間にスレッドを挟み接着剤により貼り合せた構造に特徴がある。
【００１３】
本発明の偽造防止用紙は、予め必要なコーティング層を有する第１シートや第２シートを適宜選択することにより、スレッドの光沢を維持したままコーティング層を表面に設けることができ、偽造防止機能以外の印刷適性を始めとする様々な機能を実現することができる。
【００１４】
ここで、コーティング層とは、公知のコーティングの一切を含む。その内の幾つかを列挙するならば、印刷紙のコート層、プリペイドカードの磁性層、感圧記録紙の発色剤層、感熱記録紙の感熱記録層、感熱転写紙の断熱層、さらに、機能的には補助的ではあるが、隠蔽層、保護層、防水層、乾燥促進層等があり、これら数種のコート層を積層した多層コートもここにいうコーティング層に含まれる。
【００１５】
本発明によれば、例えば、保護層と磁性層を多層コートした合成樹脂製シートを打ち抜き、窓部を設けることにより、第１シートとすることができるため、スレッドを抄き込むことを前提とする従来の偽造防止用紙では実現不可能な合成樹脂製シートを用いた偽造防止用紙を得ることができる。
【００１６】
本発明の偽造防止用紙では、その第１シートは透かし入り紙であって差し支えない。
【００１７】
ここで透かしとは、公知の透かしの一切を含み、例えば、ウォーターマーク、ケミカルウォーターマーク、プレスマーク等をいう。
【００１８】
スレッドに透かしを併用することにより、さらに偽造防止の効果を高めることができる。さらに、透かし部分、即ち、白透かしにおいては白く透き通っている部分の下に延在するスレッドが浮き出すように配置すると、透かしの確認を容易にすることができる。
【００１９】
本発明に係る偽造防止用紙では、その第２シートの外側表面にコーティング層を設けることができる。
【００２０】
本発明によれば、第２シートにおいても偽造防止以外の機能を発揮することができる。
【００２１】
本発明に係る偽造防止用紙は、その第２シートを透かし入り紙で構成させることができる。
【００２２】
本発明によれば、第２シートにおいても透かしを用いて偽造防止の効果を高めることができる。
【００２３】
本発明に係る偽造防止用紙は、窓部を設けた第１シートと、該窓部を設けた第１シートの裏面に配置した光沢のあるスレッドと、該スレッドの裏面に配置した第２シートとから成り、該第２シートは透明フィルムの外側表面に窓部を設けた紙を接着剤により接着した複合シートであり、該第１シートと該スレッドと該第２シートとは接着剤により貼り合せられ、該スレッドは該第１シートの窓部に露出し、また、該スレッドは第２シートの窓部に該透明フィルムを通して視認可能に配置したというものである。
【００２４】
本発明によれば、第１シートの窓部にスレッドが露出しており、また、第２シートの窓部においては、透明フィルムを通してスレッドが視認可能であり、偽造防止用紙の表裏両面において偽造防止を図ることができる。
【００２５】
この種の偽造防止用紙は、窓部を設けた第１シートと、該窓部を設けた第１シートの裏面に配置する光沢のあるスレッドと、該スレッドの裏面に配置する第２シートとを夫々巻取ロールから供給し、次に第２シートのスレッド側面に接着剤を塗布し、次にスレッドが該窓部に露出する位置に配置し、第１シートとスレッドと第２シートを貼り合せることで製造できる。
【００２６】
本発明によれば、スレッド表面への接着剤の付着を防止することができ、さらに、接着剤の塗布は第２シートのスレッド側の表面のみに施せば済むため製造工程を少なくすることができ製造コストを低廉にすることができる。
【００２７】
尚、貼り合せの方法は、ウエットラミネータであるかドライラミネータであるかを問わない。
【００２８】
【発明の実施の形態】
本発明に係る偽造防止用紙の一例を図１及び図２を参照して説明する。符号５０は、乗車券用の偽造防止用紙であり、窓部５４を設けた熱転写記録紙である第１シート５１と、該第１シートの裏面に配置したスレッド５２と、該スレッドの裏面に配置した複合紙である第２シート５３から成る。
【００２９】
第１シート５１は、紙５６の表面に熱転写性受容層５５をコーティングした坪量４７ｇ／ｍ2の熱転写記録紙である。窓部５４を打抜き機により形成した後、ロールＡに巻き取る。
【００３０】
第２シート５３は、厚さ３８μｍの透明ポリエステルフィルム５７を、外側表面に窓部５８と磁気記録層５９ａを有する磁気記録紙５９へ接着剤約５ｇ／ｍ2のウレタン系接着剤により接着した複合シートである。この第２シート５３は、ロールＢに巻き取る。
【００３１】
図１に例示する偽造防止用紙は、ドライラミネータ接着法により製造する。即ち、最初に、第２シート５３の透明ポリエステルフィルム５７の表面に、接着パン６１からアプリケーターロール６２を介して溶剤型ウレタン系接着剤を約５ｇ／ｍ2塗工する。次に、この第２シート５３をドライヤーパート６５を通して乾燥する。最後に、一対のプレスローラ６３、６４により、ロールＡから供給した第１シート５１及びボビンＣから供給したスレッド５２を第２シート５３に圧着し完成する。完成した偽造防止用紙は、ロールＤに巻き取られる。
【００３２】
図１に示す偽造防止用紙は、スレッド５２は第１シート５１の窓部５４に露出し、また、スレッド５２は第２シート５３の窓部５８に透明ポリエステルフィルム５７を通して視認可能に配置したというものである。
【００３３】
本発明に係る偽造防止用紙は、第１シートの窓部にスレッドが露出しており、また、第２シートの窓部においては、透明フィルムを通してスレッドが視認可能であり、偽造防止用紙の表裏両面において偽造防止を図ることができる。
【００３４】
尚、図１に示すように第１シート５１の窓部５４と第２シート５８の窓部の位置を一致させておくと、スレッド５３が両窓部５４、５８により形成された透明窓に掛け渡されているように見える。これは、美観に優れると共に、そのような透明窓をコピー等により作成することは不可能であるため偽造防止効果が極めて大きいという利点がある。
【００３５】
付言すらならば、上記透明窓は、従来の抄き合わせる偽造防止用紙では、実現不可能である。即ち、第１に透明フィルムを抄き合わせることが不可能であり、また、もし透明フィルムを無理に抄き合わせても該フィルムに紙繊維が付着し、透明窓の透明を確保できないからである。
【図面の簡単な説明】
【図１】  本発明に係る偽造防止用紙の断面説明図である。
【図２】  図１に示す偽造防止用紙のドライラミネーター接着法を示す説明図である。
【符号の説明】
５１  第１シート
５２  スレッド
５３  第２シート
５４、５８  窓部
６０  ドライラミネータ装置
【図１】
0003801739.tif 000002
【図２】
0003801739.tif 000003